(57)【要約】      （修正有）【課題】水槽と金網ゲージを一体化し、水槽上半分の取り外しや、上下共の水槽の取り外しと金網ゲージの分解ができる小動物用の家を提供する。【解決手段】水槽と金網ゲージをはめこむ土台があり、内側に水槽、外側に金網ゲージを設置してある。水槽には、水槽の上半分の下側の四面の角に強力なプラスチックの突起物がついている。下半分の水槽の上側の四面の角には、強力なプラスチックの突起物がはまりこむ穴があいており、上半分と下半分の水槽の取り外しができるようになっている。そのため、下半分の水槽を設置していくことで、床材の散らばりを防止することができる。【選択図】図１
0003169885.tif 000002
【実用新案登録請求の範囲】
【請求項１】
夏冬兼用小動物用アニマルハウスは、「水槽と金網ゲージをはめこむ土台があり、内側に水槽、外側に金網ゲージを設置してある。水槽には、水槽の上半分下側の四面の角に強力なプラスチックの突起物、下半分の水槽上側の四面の角には、強力なプラスチックの突起物がはまりこむ穴があいており、上半分と下半分の水槽の取り外しができるようになっている。上半分の水槽を取り外すことで、上半分は金網ゲージのみとなる。また、水槽の下半分上側の四面の角にある、強力なプラスチックがさしこまれる穴の中に、強力なプラスチックの蓋をすることにより、ゴミが入ることを防止できる。」また、「はめこんである水槽と、ロックを外すことで金網ゲージを取り外すことができ、隣接する金網ゲージの四面の角には、それぞれ２箇所、計８箇所にプラスチックのロックが装着してあるので、必要時、このロックを解除することにより、一面一面を取り外すことができる。」「水槽は、アクリル水槽を使用しているため、外気温の変動が水槽に伝わりにくく、温度差が少ない、さらには、重量は軽い。」という特徴がある。
【考案の詳細な説明】
【技術分野】
【０００１】    本考案は、水槽と金網ゲージを一体化したものであり、水槽上半分の取り外しや、上下共の水槽の取り外しと金網ゲージの分解ができる、小動物用の家に関するものである。
【背景技術】
【０００２】    ハムスターが住みやすい環境を整えるために、夏には風通しの良い金網ゲームを使用し、冬には温かく過ごせるよう水槽を使用していた。
【考案の概要】
【考案が解決しようとする課題】
【０００３】    何匹ものハムスターがいたため、ゲージと水槽の数が増えていき、収納スペースに収まりきらずにいた。
また、金網ゲージを使用しているとき、木屑が外にこぼれて散らばり、随時ちらばった木屑の掃除をしていた。さらに、金網ゲージのままだと、洗いにくく時間がかかっていた。
また、水槽では、通気性が悪いため、夏には金網ゲージに交換していた。さらに、水槽は、重量が重く、労働的負担であった。
従って、水槽と金網ゲージを一体化したことや、水槽上半分の取り外しや、上下共の水槽の取り外しと金網ゲージの分解ができることにより、前述の点を解決しようとするものである。
【課題を解決するための手段】
【０００４】    本考案は、水槽と金網ゲージをはめこむ土台があり、内側に水槽、外側に金網ゲージを設置してある。水槽には、水槽の上半分の下側の四面の角に強力なプラスチックの突起物がついている。下半分の水槽の上側の四面の角には、強力なプラスチックの突起物がはまりこむ穴があいており、上半分と下半分の水槽の取り外しができるようになっている。そのため、下半分の水槽を設置していくことで、床材の散らばりを防止することができ、問題点を解決している。【０００５】    本考案は、上述した通り、土台に水槽と金網ゲージをはめこんでいる。そのため、洗う際には、はめこんである水槽と金網ゲージ取り外すことができる。また、隣接する金網ゲージの四面の角には、それぞれ一面に２箇所、計８箇所にプラスチックのロックが装着してあるので、洗う際には、このロックを解除することにより、一面一面を取り外すことができ、洗いやすくなっており、問題点を解決している。【０００６】    夏には過ごしやすい金網ゲージは、冬には温度の関係で過ごしにくくなり、冬には暖かい水槽は、夏には高温湿度となり過ごしにくくなり、様々な工夫が必要になってくる。この問題を解決するために、本考案は、夏には上述にあるように、上半分の水槽を取り外すことで、上半分は金網ゲージのみとなり、通気性が良くなる。冬には、上半分の水槽を装着することにより、保温が保て過ごしやすくなる。また、水槽は、アクリル水槽を使用しているため、外気温の変動が水槽に伝わりにくく、温度差が少ない特徴がある。これらのことから、問題点を解決している。【０００７】    本考案で使用している水槽は上述にあるように、アクリル水槽を使用してあるため、重量は、軽く、移動の際の負担が軽減され、問題点を解決している。【０００８】    本考案は、水槽と金網ゲージを一体化しているため、収納スペースを軽減でき、問題点を解決している。
【考案の効果】
【０００９】    上述のように、本考案の夏冬兼用小動物用アニマルハウスは、外側に金網ゲージ、内側に水槽がある。水槽には、水槽の上半分の下側の四面の角に強力なプラスチックの突起物、下半分の水槽の上側の四面の角に強力なプラスチックの突起物がはまりこむ穴があいており、上半分と下半分の水槽の取り外しができるようになっている。そのため、下半分の水槽を設置していくことで、木屑の散らばりを防止することができることや、アクリル水槽の外気温の変動が水槽に伝わりにくく温度差が少ない特徴に加え、季節に合わせて、水槽の上半分を取り外し通気性を確保、また、温度に応じて上半分の水槽を装着することによって保温の確保ができる。
また、水槽と金網ゲージは土台にはめこんでいるので、洗う際には、取り外すことができる。また、金網ゲージの四面の角には、それぞれ隣接している四面の角にあるロックを取り外すことで、一面一面に分解でき、洗いやすくなっている。
また、アクリル水槽のため、重量が軽く、移動の際の負担が軽減される。水槽と金網ゲージが一体化してあるため、収納スペースをとらずに済む。
【図面の簡単な説明】
【００１０】
【図１】本考案の夏冬兼用アニマルハウスの正面図である。
【図２】水槽のはめこみ方法を示す図である。
【図３】水槽の上半分を取り除いた図である。
【考案を実施するための形態】
【００１１】    夏冬兼用アニマルハウスを作成するときには、１の底に▲２▼をはめこみ、４に３を差し込むことで、内側に２ａ・２ｂ、外側に３が装着できる。また、３の隣接しあう四面の角には６があり、このロックを装着・取り外しができる。１を▲２▼にはめこんだ際には５を使ってロックをすることができる。
メインの扉である７は図にあるように開け閉めを行なう。
【実施例】
【００１２】    洗う時には、▲２▼は１にはまりこんでいるだけなので、取りだし、３を取り外す際には、５のロックを外してから、４から３を取り外す。また、７を開き、６のロックを取り外すことで、一面ずつ解体でき、洗いやすくなっている。【００１３】    ２ａを取り外したいときには、２ａを持ち上げて、８と９を取り外す。８を外している時、９にゴミがつまらないように１０を装着する。
通気性をよくしたい場合には（夏に使用するときなど）、上記のようにして、２ａを取り外す。
【符号の説明】１    プラスチックでできた土台
▲２▼    アクリル水槽全体
２ａ  アクリル水槽上半分
２ｂ  アクリル水槽下半分
３    金網ゲージ
４    金網ゲージをさしこむ溝
５    プラスチックでできたロック
６    プラスチックでできたロック
７    プラスチックでできた扉
８    強力なプラスチックの突起物
９    強力なプラスチックをはめこむ穴
１０  ９にはめこむ強力なプラスチックの蓋
【図１】
0003169885.tif 000003
【図２】
0003169885.tif 000004
【図３】
0003169885.tif 000005
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
（１）水槽と金網ゲージをはめこむ土台があり、内側に水槽、外側に金網ゲージを設置できる。
（２）水槽には、水槽の上半分下側の四面の角に強力なプラスチックの突起物、下半分の水槽上側の四面の角には、強力なプラスチックの突起物がはまりこむ穴があいており、上半分と下半分の水槽の取り外しができるようになっている。
（３）上半分の水槽を取り外している際、強力なプラスチックの突起物がはまりこむ穴の中にゴミが入ることを防止するために、強力なプラスチックの蓋を付属している。
（４）掃除を行なう際には、水槽を土台から取り外すことや金網ゲージを分解でき、分解ができる理由としては、金網ゲージの隣接する四面の角には、それぞれ２箇所、計８箇所にプラスチックのロックが装着してあるので、必要時、このロックを解除することにより、一面一面を取り外すことができるためである。
（５）水槽は、アクリル水槽を使用しているため、外気温の変動が水槽に伝わりにくく、温度差が少ない、さらには、重量は軽い。
以上の構成からなる夏冬兼用小動物用アニマルハウス。